(57)【要約】【課題】簡素な構成でウォブル信号を精度良く抽出することが可能な記録再生装置、ウォブル信号抽出方法及びウォブル信号抽出回路を提供すること。【解決手段】光ディスク２００のトラック２０２が延在する方向を境界として２分割された２つの受光部のそれぞれから第１の信号（Ａ＋Ｄ）及び第２の信号（Ｂ＋Ｃ）を検出するディテクタ１０４ａと、第１の信号（Ａ＋Ｄ）と第２の信号（Ｂ＋Ｃ）との差分からウォブル信号を取得する差動演算回路１５４と、ウォブル信号の振幅と目標値との比較の結果に基づいて、第１の信号（Ａ＋Ｄ）のゲインを調整するＧＣＡ１５２と、ＧＣＡ１５２の出力に基づいて、第２の信号（Ｂ＋Ｃ）のゲインを調整するＧＣＡ１５６と、を備える。【選択図】図４
2009187628.tif 000002
【特許請求の範囲】
【請求項１】
光記録媒体のトラックが延在する方向を境界として２分割された２つの受光部のそれぞれから第１の信号及び第２の信号を検出する信号検出部と、
前記第１の信号と前記第２の信号との差分からウォブル信号を取得するウォブル信号取得部と、
前記ウォブル信号の振幅と目標値との比較の結果に基づいて、前記第１の信号のゲインを調整する第１のゲイン調整部と、
前記第１のゲイン調整部の出力に基づいて、前記第２の信号のゲインを調整する第２のゲイン調整部と、
を備えることを特徴とする、記録再生装置。
【請求項２】
前記第１のゲイン調整部の前段で前記第１の信号のゲインを調整する第３のゲイン調整部と、
前記第２のゲイン調整部の前段で前記第２の信号のゲインを調整する第４のゲイン調整部と、を更に備え、
前記第３及び第４のゲイン調整部には前記光記録媒体へのデータの記録中であることを示す記録タイミング信号が入力され、
前記第３及び第４のゲイン調整部は、前記記録タイミング信号に応じて前記第１及び第２のゲイン調整部の前段で前記第１及び第２の信号のゲインを調整することを特徴とする、請求項１に記載の記録再生装置。
【請求項３】
前記ウォブル信号をデジタルデータに変換するＡ／Ｄ変換部と、
デジタルデータに変換された前記ウォブル信号の振幅と目標値との比較の結果に応じて制御信号を出力する制御器と、
前記制御信号をアナログデータに変換するＤ／Ａ変換部と、を備え、
前記第１のゲイン調整部は、前記Ｄ／Ａ変換部の出力に基づいて前記第１の信号のゲインを調整することを特徴とする、請求項１に記載の記録再生装置。
【請求項４】
前記制御信号に基づいてデジタルデータに変換された前記ウォブル信号のゲインを調整するウォブル信号ゲイン調整部を更に備えることを特徴とする請求項３に記載の記録再生装置。
【請求項５】
光記録媒体のトラックが延在する方向を境界として２分割された２つの受光部のそれぞれから第１の信号及び第２の信号を検出する信号検出部と、
前記第１の信号と前記第２の信号との差分からウォブル信号を取得するウォブル信号取得部と、
前記ウォブル信号の振幅と目標値との比較の結果に基づいて、前記第１の信号のゲインを調整する第１のゲイン調整部と、
前記第１のゲイン調整部の出力に基づいて、前記第２の信号のゲインを調整する第２のゲイン調整部と、
を備えることを特徴とする、ウォブル信号抽出回路。
【請求項６】
光記録媒体のトラックが延在する方向を境界として２分割された２つの受光部のそれぞれから第１の信号及び第２の信号を検出するステップと、
前記第１の信号と前記第２の信号との差分からウォブル信号を取得するステップと、
前記ウォブル信号の振幅と目標値との比較の結果に基づいて、前記第１の信号のゲインを調整するステップと、
ゲインが調整された前記第１の信号に基づいて、前記第２の信号のゲインを調整するステップと、
を備えることを特徴とする、ウォブル信号抽出方法。
【発明の詳細な説明】
【技術分野】
【０００１】
本発明は、記録再生装置、ウォブル信号抽出回路及びウォブル信号抽出方法に関する。
【背景技術】
【０００２】
一般に記録用の光ディスクでは、ウォブル信号を検出するためのアドレス情報がトラックに予め形成されている。例えば、ＣＤ−Ｒ／ＲＷでは、記録するＲＦ信号の基本クロック４．３２１８ＭＨｚに対して十分低い周波数の２２．０５ｋＨｚがウォブル信号の基本周波数として用いられる。また、ＤＶＤ＋ＲＷでは、ＲＦ信号の基本クロック２６．１６ＭＨｚに近い８１８ｋＨｚがウォブル信号周波数帯として用いられている。
【０００３】
ウォブル信号を検出するため、光ディスク記録再生装置は、レーザのトレース方向に対して法線方向に少なくとも２分割された受光素子を備えている。トラックからの反射光を２分割された受光素子で検出すると、一方の受光信号は他方の逆相となっていることから、その差信号（プッシュプル信号）を演算によって求めることで、ウォブル信号を得ることができる。
【０００４】
しかしながら、光ディスク上のデータ記録領域においては、各々の受光信号には記録されているデータ信号（以下、ＲＦ信号と記載）がウォブル信号に重畳されて検出される。このＲＦ信号は、上述の減算演算によって理想的には完全に除去できる。しかし、実際には受光素子の組み付け精度や受光感度分布のバラツキ、またはサーボによる偏芯取れ残りやオフセット取れ残りなどの変動要因により、減算前のそれぞれの受光信号にレベル差が生じてしまう。このため、減算後にノイズが残留することでウォブル信号品質が低下するという問題が生じている。
【０００５】
このため、例えば下記の特許文献１に記載されているように、記録領域の再生に際しては、各受光素子出力信号の振幅を別々のＡＧＣ（Auto Gain Control）回路に入力し、各々の信号のＲＦ信号振幅を揃えてから減算演算する手法が知られている。また、未記録領域の再生に際しては、これらのＡＧＣを固定ゲインにすることが一般的に行われている。更に従来技術では、記録時と再生時では信号に含まれるウォブル成分の割合が異なり、また、減算後に得られるウォブル振幅がメディアや記録パワーなど複数の要因で変動するため、バラツキを揃えるために３つ目のＡＧＣを設けた構成としている。
【０００６】
【特許文献１】特開平８−１９４９６９号公報
【発明の開示】
【発明が解決しようとする課題】
【０００７】
しかしながら、ＡＧＣ回路は回路規模が大きく、チップ内に占める面積も大きく、消費電力も大きい。このため、上記特許文献１のように多数のＡＧＣを設けた場合、回路規模が増大し、且つ消費電力も増大してしまうという問題が生じる。
【０００８】
また、通常、各ＡＧＣ毎に外付けのキャパシタが必要となり、ＬＳＩにもこれらのキャパシタを接続するための端子が３つ必要となる。このため、ＬＳＩおよび実装面積の小型化が阻害されてしまうという問題が生じる。更に、上記特許文献１の構成では、再生時にはＡＧＣ動作と固定ゲイン動作の切替信号を生成するため、記録領域、未記録領域の確実な検出を行う必要があるが、記録領域と未記録領域の確実な検出は困難である。
【０００９】
そこで、本発明は、上記問題に鑑みてなされたものであり、本発明の目的とするところは、簡素な構成でウォブル信号を精度良く抽出することが可能な、新規かつ改良された記録再生装置、ウォブル信号抽出方法及びウォブル信号抽出回路を提供することにある。
【課題を解決するための手段】
【００１０】
上記課題を解決するために、本発明のある観点によれば、光記録媒体のトラックが延在する方向を境界として２分割された２つの受光部のそれぞれから第１の信号及び第２の信号を検出する信号検出部と、前記第１の信号と前記第２の信号との差分からウォブル信号を取得するウォブル信号取得部と、前記ウォブル信号の振幅と目標値との比較の結果に基づいて、前記第１の信号のゲインを調整する第１のゲイン調整部と、前記第１のゲイン調整部の出力に基づいて、前記第２の信号のゲインを調整する第２のゲイン調整部と、を備える記録再生装置が提供される。
【００１１】
上記構成によれば、光記録媒体のトラックが延在する方向を境界として２分割された２つの受光部のそれぞれから第１の信号及び第２の信号が検出され、第１の信号と第２の信号との差分からウォブル信号が取得される。そして、第１のゲイン調整部により、ウォブル信号の振幅と目標値との比較の結果に基づいて第１の信号のゲインが調整され、第１のゲイン調整部の出力に基づいて第２の信号のゲインが調整される。従って、振幅一定で同相成分除去に優れたウォブル抽出回路を得ることができ、所望の振幅のウォブル信号を得ることが可能になるとともに、ＲＦ信号または記録信号波形などのウォブル信号に対する妨害波を確実に除去することが可能となる。
【００１２】
また、前記第１のゲイン調整部の前段で前記第１の信号のゲインを調整する第３のゲイン調整部と、前記第２のゲイン調整部の前段で前記第２の信号のゲインを調整する第４のゲイン調整部と、を更に備え、前記第３及び第４のゲイン調整部には前記光記録媒体へのデータの記録中であることを示す記録タイミング信号が入力され、前記第３及び第４のゲイン調整部は、前記記録タイミング信号に応じて前記第１及び第２のゲイン調整部の前段で前記第１及び第２の信号のゲインを調整するものであってもよい。かかる構成によれば、記録時と再生時とでは信号の振幅が変化するため、記録タイミング信号に応じて第１及び第２の信号のゲインを調整することで、記録開始時および記録終了時にウォブル信号を精度良く取得することが可能となる。
【００１３】
また、前記ウォブル信号をデジタルデータに変換するＡ／Ｄ変換部と、デジタルデータに変換された前記ウォブル信号の振幅と目標値との比較の結果に応じて制御信号を出力する制御器と、前記制御信号をアナログデータに変換するＤ／Ａ変換部と、を備え、前記第１のゲイン調整部は、前記Ｄ／Ａ変換部の出力に基づいて前記第１の信号のゲインを調整するものであってもよい。かかる構成によれば、デジタルデータとしてのウォブル信号振幅を一定にすることが可能となり、後段の回路によるアドレス検出もしくはディスク回転に同期したクロック抽出等の処理を容易に行うことができる。
【００１４】
また、前記制御信号に基づいてデジタルデータに変換された前記ウォブル信号のゲインを調整するウォブル信号ゲイン調整部を更に備えるものであってもよい。かかる構成によれば、第１のゲイン調整部の出力に基づいて第２の信号のゲインを調整することでアナログ領域でウォブル信号の振幅を調整するとともに、ウォブル信号ゲイン調整部によりデジタル領域でウォブル信号の振幅を調整することができる。
【００１５】
また、上記課題を解決するために、本発明の別の観点によれば、光記録媒体のトラックが延在する方向を境界として２分割された２つの受光部のそれぞれから第１の信号及び第２の信号を検出する信号検出部と、前記第１の信号と前記第２の信号との差分からウォブル信号を取得するウォブル信号取得部と、前記ウォブル信号の振幅と目標値との比較の結果に基づいて、前記第１の信号のゲインを調整する第１のゲイン調整部と、前記第１のゲイン調整部の出力に基づいて、前記第２の信号のゲインを調整する第２のゲイン調整部と、を備えるウォブル信号抽出回路が提供される。
【００１６】
上記構成によれば、光記録媒体のトラックが延在する方向を境界として２分割された２つの受光部のそれぞれから第１の信号及び第２の信号が検出され、第１の信号と第２の信号との差分からウォブル信号が取得される。そして、第１のゲイン調整部により、ウォブル信号の振幅と目標値との比較の結果に基づいて第１の信号のゲインが調整され、第１のゲイン調整部の出力に基づいて第２の信号のゲインが調整される。従って、振幅一定で同相成分除去に優れたウォブル抽出回路を得ることができ、所望の振幅のウォブル信号を得ることが可能になるとともに、ＲＦ信号または記録信号波形などのウォブル信号に対する妨害波を確実に除去することが可能となる。
【００１７】
また、上記課題を解決するために、本発明の別の観点によれば、光記録媒体のトラックが延在する方向を境界として２分割された２つの受光部のそれぞれから第１の信号及び第２の信号を検出するステップと、前記第１の信号と前記第２の信号との差分からウォブル信号を取得するステップと、前記ウォブル信号の振幅と目標値との比較の結果に基づいて、前記第１の信号のゲインを調整するステップと、ゲインが調整された前記第１の信号に基づいて、前記第２の信号のゲインを調整するステップと、を備えるウォブル信号抽出方法が提供される。
【００１８】
上記構成によれば、光記録媒体のトラックが延在する方向を境界として２分割された２つの受光部のそれぞれから第１の信号及び第２の信号が検出され、第１の信号と第２の信号との差分からウォブル信号が取得され、ウォブル信号の振幅と目標値との比較の結果に基づいて第１の信号のゲインが調整され、ゲインが調整された第１の信号に基づいて第２の信号のゲインが調整される。従って、振幅一定で同相成分除去に優れたウォブル抽出回路を得ることができ、所望の振幅のウォブル信号を得ることが可能になるとともに、ＲＦ信号または記録信号波形などのウォブル信号に対する妨害波を確実に除去することが可能となる。
【発明の効果】
【００１９】
本発明によれば、簡素な構成でウォブル信号を精度良く抽出することが可能な記録再生装置、記録再生方法及びウォブル信号抽出回路を提供することが可能となる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
図１は、本発明の一実施形態に係る光ディスク記録再生装置１００の構成を示す模式図である。図１において光ディスク２００は、サーボ回路１０２により、所定の回転数に制御されて回転している。また、ピックアップ１０４は、光ディスク２００上の所定の位置で記録再生できるようにサーボ回路１０２で制御されている。
【００２２】
ピックアップ１０４からは、光ディスク２００に向けてレーザが照射されている。レーザは、レーザーパワーコントロール回路１０６によって所定のパワーになるように制御されている。ピックアップ１０４は、例えば、光ディスク２００にトラックを蛇行させて予め記録されているアドレス情報をトラッキング信号（ＰＰ信号）として読み出し、その信号をアドレス復号回路（ウォブル信号抽出回路）１５０に入力する。アドレス復号回路１５０では、光ディスク２００に記録されているアドレス情報を復号し、復号した信号をディスクコントローラ１１０に送る。これにより、ディスクコントローラ１１０は、所望の位置にピックアップ１０４を制御するため、制御信号をサーボ回路１０２に与える。従って、光ディスク２００上の所望の位置にデータを書き込んだり、光ディスク２００上の所望の位置からデータを読取って再生することができる。
【００２３】
データ記録時には、記録データが変調回路１１２に送られる。変調回路１１２では、光ディスク２００に記録する際に変調処理が行われる。例えば、ブルーレイ(Blu-ray)のディスクの場合、１７変調が順に施される。これらの変調されたデータは、レーザーパワーコントロール回路１０６に入力され、データに応じてレーザが変調され、光ディスク２００に記録データが記録される。
【００２４】
光ディスク２００からデータを読取って再生する場合は、まず、ピックアップ１０４によって記録データに相当する光強度信号（ＲＦ信号）が読取られ、２値化回路１１４によって波形整形後に２値化され、デジタルの０，１データに変換されて、復調回路１１６に入力される。復調回路１１６に入力された２値化信号は、例えばＥＦＭプラス復調が施されて、再生データとして出力される。
【００２５】
次に、図２に基づいて、光ディスク２００のトラックとレーザスポット、及びレーザスポットの反射光を検出するピックアップ１０２のディテクタについて説明する。図２（Ａ）は、光ディスク２００を上面から見た状態を示す模式図である。図２（Ａ）に示すように、光ディスク２００のディスク面上には、ウォブリングを伴ってトラック２０２が形成されている。レーザスポット３００は、紙面下方から紙面上方に向かって照射され、矢印ａ１方向にトレースするものとする。このレーザスポット３００の反射光がピックアップ１０４上のディテクタ１０４ａによって検出される。
【００２６】
図２（Ｂ）は、ディテクタ１０４ａを示す模式図である。ここでは、ディテクタ１０４ａがＡ，Ｂ，Ｃ，Ｄの４つの受光領域に分割されているものとする。ＡとＤを一組とし、ＢとＣを一組とすることで、トラックトレース方向（矢印ａ１方向）に対する法線方向に受光領域を２分割することが可能である。
【００２７】
図３は、トラック２０２が未記録部、および記録部を跨いでいる場合に、ディテクタ１０４ａでトラック２０２をトレースした際の信号（Ａ＋Ｄ）、信号（Ｂ＋Ｃ）、プッシュプル信号（Ａ+Ｄ）−（Ｂ＋Ｃ）の各信号波形を示す特性図である。ここで、図３（Ａ）は信号（Ａ＋Ｄ）を、図３（Ｂ）は信号（Ｂ＋Ｃ）を、図３（Ｃ）はプッシュプル信号（Ａ+Ｄ）−（Ｂ＋Ｃ）を、それぞれ示している。また、図３では、光ディスク２００上にデータが書き込まれた記録部、及びデータが書き込まれていない未記録部をトレースした際に検出される信号波形を示している。未記録部、および記録部において、（Ａ＋Ｄ）信号と（Ｂ＋Ｃ）信号は互いに逆相の信号であるため、差動演算することでウォブル波形（プッシュプル信号（Ａ+Ｄ）−（Ｂ＋Ｃ））の検出が可能である。一方、記録部をトレースした際に（Ａ＋Ｄ）信号および（Ｂ＋Ｃ）信号中に検出されるＲＦ信号は同相の信号であるため、差動演算することで打ち消し合う。従って、ＲＦ信号を除去してウォブル信号のみを抽出することが可能である。
【００２８】
上述のように、光ディスク記録再生装置１００の動作としては、光ディスク２００の未記録部、記録部をトレースする再生動作の他、光ディスク２００へデータを記録する記録動作がある。光ディスク２００へのデータの記録中においては、記録に伴う信号波形（記録信号波形）が記録部のＲＦ信号と同様に（Ａ＋Ｄ）信号と（Ｂ＋Ｃ）信号とで同相の信号として重畳される。記録信号波形による妨害成分は、書き込みパルスをピックアップ１０２から発光した際に、主としてレーザビームの戻り光により生じるものである。記録信号波形についても、（Ａ＋Ｄ）信号と（Ｂ＋Ｃ）信号とで同相であるため、記録部をトレースした場合と同様に差動演算によりウォブル信号のみを抽出できる。
【００２９】
図４は、本実施形態のアドレス復号回路１５０の回路構成を示す模式図である。上述のように、ディテクタ１０４ａは、トレース方向（矢印ａ１方向）に対して法線方向に２分割された信号を検出する機能を有する。図４に示すディテクタはＡ，Ｂ，Ｃ，Ｄに４分割したものを図示しており、演算により（Ａ＋Ｄ）信号、（Ｂ＋Ｃ）信号を得ることで、上記法線方向に２分割された信号を検出することが可能である。
【００３０】
（Ａ＋Ｄ）信号および（Ｂ＋Ｃ）信号はＤＣ成分を除去した後、(Ａ+Ｄ)信号はゲインコントロールアンプ（ＧＣＡ）１５２により増幅され、差動演算回路１５４に入力される。一方（Ｂ＋Ｃ）信号は、ゲインコントロールアンプ（ＧＣＡ１５６）により増幅され、差動演算回路１５４に入力される。このとき、制御回路１５８は，ＧＣＡ１５２の出力信号とＧＣＡ１５６の出力信号とを比較し、ＧＣＡ１５６から出力される波形の振幅がＧＣＡ１５２から出力される波形の振幅と同一となるように制御信号を生成し、ＧＣＡ１５６に入力する。ＧＣＡ１５６は、入力された制御信号に基づいてＧＣＡ１５６から出力される波形の振幅を調整する。この結果、ＧＣＡ１５６の出力信号の振幅がＧＣＡ１５２の出力信号の振幅に追従する。
【００３１】
差動演算回路１５４はＧＣＡ１５２，１５６によって振幅が揃えられた（Ａ＋Ｄ）信号と（Ｂ＋Ｃ）信号に対して差動演算することで、記録部をトレースした際のＲＦ信号や、書き込み時の記録信号波形といった同相成分を除去してウォブル信号を抽出する。ここで、ＧＣＡ１５６の出力信号の振幅がＧＣＡ１５２の出力信号の振幅に追従しているため、差動演算回路１５４によって抽出されたウォブル信号からは、ＲＦ信号や、記録信号波形といった同相成分が高精度に除去されている。差動演算回路１５４の出力は、フィルタ１６０によって取れ残った高周波数のノイズ成分が除去されて、ウォブル信号として後段のアドレス検出ブロックに出力される。
【００３２】
また、フィルタ１６０の出力は、制御器１６２に入力される。制御器１６２には、ウォブル信号の振幅目標値が入力される。制御器１６２は、フィルタ１６０から出力されたウォブル信号の振幅と振幅目標値とを比較し、ウォブル信号振幅と振幅目標値を一致させる制御信号を生成し、ＧＣＡ１５２に入力する。このように、制御器１６２は、振幅目標値に対するウォブル信号の振幅の不足分をＧＣＡ１５２に帰還することができる。
【００３３】
これにより、記録部または未記録部をトレースした際、若しくは光ディスク２００へのデータの記録時のいずれにおいても、所望の振幅のウォブル信号を抽出することが可能となる。従って、後段の回路に適合するように、ウォブル信号の振幅を調整することができる。また、再生中において、トラック２０２上で現在トレースしている部分が記録部、未記録部のいずれの場合であっても、差動演算回路１５４へ入力される２つの信号の振幅を揃えることができるため、記録部、未記録部のどちらを再生しているかを検出する回路を別途必要としない。
【００３４】
このように、本実施形態に係るウォブル信号抽出回路（アドレス復号回路１５０）では、差動演算回路１５４の出力と振幅目標値を比較し、この結果に基づいてＧＣＡ１５２の出力信号の振幅を調整するとともに、ＧＣＡ１５６の出力信号の振幅をＧＣＡ１５２の出力信号の振幅に追従させている。従って、振幅一定で同相成分除去に優れたウォブル抽出回路を得ることができ、所望の振幅のウォブル信号を得ることが可能になるとともに、ＲＦ信号または記録信号波形などのウォブル信号に対する妨害波を確実に除去することが可能となる。
【００３５】
従って、従来は（Ａ＋Ｄ）信号，（Ｂ＋Ｃ）信号のそれぞれにＡＧＣが必要であり、且つ一定振幅のウォブル信号を得るために差動演算回路の後段に更に３つ目のＡＧＣを必要としていたのに対し、図４の構成をとることで、（Ｂ＋Ｃ）の振幅を（Ａ＋Ｄ）の振幅と一致させるためのＧＣＡ１５６と、差動演算後のウォブル振幅が一定になるように、（Ａ＋Ｄ）側の増幅器に帰還を掛けるＧＣＡ１５２とによる、２つのＡＧＣ構成にすることで、アナログ回路で大きな回路面積と電力を必要とするＡＧＣ回路を削減することができる。また、（Ａ＋Ｄ）信号，（Ｂ＋Ｃ）信号のそれぞれに対して目標値を設定して個別に制御する場合は、それぞれの信号が確実に目標値に制御されるとは限らないため、ウォブル信号の検出精度が低下してしまうことが想定される。本実施形態では、（Ａ＋Ｄ）信号に対して（Ｂ＋Ｃ）信号を追従させるため、ウォブル信号の検出精度の低下を抑止できる。更に、（Ａ＋Ｄ）信号に対して（Ｂ＋Ｃ）信号を追従させることで、トレース領域が記録部から未記録部に移行した場合などの過渡期に一時的にＧＣＡ１５２，１５６が飽和状態に陥った場合であっても、ウォブル信号を精度良く検出することが可能である。
【００３６】
なお、本実施形態では（Ａ＋Ｄ）信号の振幅に（Ｂ＋Ｃ）信号の振幅を一致させる構成を示したが、（Ｂ＋Ｃ）信号の振幅に（Ａ＋Ｄ）信号の振幅を一致させる構成とし、制御器１６２の出力をＧＣＡ１５６に帰還しても良い。また、制御器１５８の制御時定数は、制御器１６２の制御時定数よりも短く設定することが望ましい。
【００３７】
また、本実施形態では、制御時定数を決定するのは制御器１６２とＧＣＡ１５２で構成される帰還ループであり、状況に応じて制御時定数を変更する場合にも、同相成分除去性能に影響を与えずに設定の変更が可能である。例えば（Ａ＋Ｄ）信号、および（Ｂ＋Ｃ）信号で別々のＡＧＣを構成し、それぞれに帰還させている場合は、それぞれの制御時定数を変える時間差による同相成分除去性能の低下が生じる。本実施形態では、制御器１６２とＧＣＡ１５２で帰還ループを構成しているため、このような同相成分除去性能の低下を確実に抑止することができる。
【００３８】
（第２の実施形態）
次に、本発明の第２の実施形態について説明する。図５は、第２の実施形態に係るアドレス復号回路１５０の回路構成を示す模式図である。図５の構成では、第１の実施形態の図４の構成に対して、ＧＣＡ１５２の前段にゲインコントロールアンプ（ＧＣＡ）１７０が追加され、また、ＧＣＡ１５６の前段にゲインコントロールアンプ（ＧＣＡ）１７２が追加されている。ＧＣＡ１７０の出力信号は増幅器１５２に入力され、ＧＣＡ１７２の出力信号は増幅器１５６に入力される。図５の他の構成は、図４と同様である。（Ａ＋Ｄ）信号および（Ｂ＋Ｃ）信号はＤＣを除去した後、ゲインコントロールアンプ１７０，１７２（以下ＧＣＡ）によりゲインが調整される。
【００３９】
光ディスク２００へのデータの記録時には、ＧＣＡ１７０，１７２に対して、システム側のコントロール回路（ディスクコントローラ１１０）よりデータ記録時を示す信号である記録タイミング信号が送られる。そして、ＧＣＡ１７０，１７２は、記録タイミング信号の入力を受けると、通常よりもゲインを低下させる制御を行う。従って、光ディスク記録再生装置１００の動作状態に応じてＧＣＡ１７０，１７２のゲインを調整することができ、動作状態に応じた妨害波成分の除去を行うことができる。
【００４０】
以上のような構成によれば、記録時と再生時とでは信号の振幅が変化するため、記録開始時および記録終了時の信号振幅変動に対し、予め記録タイミング信号に基づいてＧＣＡ１７０，１７２のゲインを調整する。これにより、制御器１６２とＧＣＡ１５２で構成される帰還ループの収束を早めることが可能となる。また、記録時には再生時に比べて信号の振幅が大きくなるため、予めＧＣＡ１７０，１７２によりゲインを低下させることで、後段の増幅器ＧＣＡ１５２，１５６等の入力レンジを最小限に抑えることが可能となる。これにより、後段の増幅器１５２，１５６等では、未記録部、または記録部をトレースした際の信号に合わせて入力レンジを定めれば良く、必要以上に入力レンジを広げることが不要となる。
【００４１】
（第３の実施形態）
次に、本発明の第３の実施形態について説明する。図６は、第３の実施形態に係るアドレス復号回路１５０の回路構成を示す模式図である。第３の実施形態は、図４に示した第１の実施形態の構成の一部をデジタル化したものである。
【００４２】
図６に示すように、第３の実施形態では、差動演算回路１５４の後段にＡ/Ｄ変換器１８０が設けられており、差動演算回路１５４の後段以降がデジタル化されている。フィルタ１８２、制御器１８４は、第１の実施形態のフィルタ１６０、制御器１６２に相当するが、差動演算回路１５４の出力は、Ａ／Ｄ変換器１８０によってデジタルデータ化されるため、フィルタ１８２、制御器１８４ではデジタル処理が行われる。フィルタ１８２をデジタルフィルタとして構成することで、次数の高いフィルタを用いた場合であっても製造コストを低減することが可能である。制御器１８４の出力である制御値はＤ／Ａ変換器１８６でアナログの指示値に変換され、この指示値によりＧＣＡ１５２を制御する。Ａ/Ｄ変換器１８０以降のデジタル領域は、振幅情報をＧＣＡ１５２へ帰還させる機能を有する。なお、差動演算回路１５４とＡ／Ｄ変換器１８０の間にはアンチエイリアシングフィルタなどのアナログフィルタを追加しても良い。
【００４３】
以上のような構成によれば、デジタルデータとしてのウォブル信号振幅を一定にすることが可能となり、アドレス検出もしくはディスク回転に同期したクロック抽出が容易になる。従って、アドレス復号回路１５０の後段にＰＬＬなどの回路が配置される場合は、デジタルデータとしてのウォブル信号を後段の回路にそのまま入力することが可能である。これにより、ゲインが振幅に応じて変化してしまうような位相比較器を使う場合等において、位相比較器へ入れる前段のフィルタでゲインが低下してしまうことを抑止でき、後段の回路に適合した所望の振幅のウォブル信号を得ることができる。
【００４４】
また、振幅検出を伴う制御器１８４をアナログ回路で構成する場合、妨害信号成分を検出しないために十分に低いカットオフを持つＬＰＦが必要になるか、または振幅の外形をつかむためにピークホールド回路を構成することが行われる。そして、いずれの場合においても、大容量の外付け容量を必要とする場合がある。本実施形態の構成によれば、制御器１８４をデジタル化することで、外付け容量が不要となり、回路規模の縮小と消費電力の削減が可能となる。
【００４５】
（第４の実施形態）
次に、本発明の第４の実施形態について説明する。図７は、第４の実施形態に係るアドレス復号回路１５０の回路構成を示す模式図である。第４の実施形態は、デジタル化した図６の回路において、Ａ／Ｄ変換器１８０の後段にウォブル信号の振幅を調整するＧＣＡ１８８を設け、制御器１８４によるフィードバックをＧＣＡ１５２とＧＣＡ１８８に分けたものである。
【００４６】
図７に示すように、Ａ／Ｄ変換器１８０の出力はＧＣＡ１８８に入力され、その出力はフィルタ１８２に入力される。制御器１８４は、フィルタ１８２の出力とウォブル信号の振幅目標値が一致するよう制御信号を生成する。制御信号はＧＣＡ１８８に入力され、制御信号に基づいてウォブル信号の振幅が調整される。
【００４７】
また、制御器１８４から出力された制御信号は、Ｄ／Ａ変換器１８６でアナログの指示値に変換された後、ＧＣＡ１５２に入力される。例えばＧＣＡ１８８の制御範囲を超えてウォブル信号の振幅を制御する必要がある場合は、Ｄ／Ａ変換器１８６を介してＧＣＡ１５２のゲインを増減させる。ＧＣＡ１５６の出力振幅は制御器１５８によりＧＣＡ１５２の出力振幅に追従するため、アナログ領域においてもウォブル信号の振幅調整が可能である。
【００４８】
以上のような構成によれば、Ａ／Ｄ変換器１８０でデジタル化した信号に対してＧＣＡ１８８による振幅調整を行うため、ウォブル信号の振幅調整をより高い精度で行うことができる。また、アナログ領域ではＧＣＡ１５２，１５６によりウォブル信号の振幅を調整することが可能となり、デジタル領域ではＧＣＡ１８８によりウォブル信号の振幅を調整することができる。このため、Ｄ／Ａ変換器１８６の分解能を比較的低くした場合であっても、後段のＧＣＡ１８８により振幅を精度良く調整することが可能である。従って、前段のＧＣＡ１５２，１５６により比較的粗い精度でウォブル信号振幅を調整し、後段のＧＣＡ１８８により微細な振幅調整を行う等の制御が可能となり、Ｄ／Ａ変換器１８６の分解能を低く設定することが可能となる。なお、デジタル領域で微細な振幅調整を行うため、制御器１８４からＧＣＡ１８８への制御信号の時定数は、制御器１８４からＤ／Ａ変換器１８６を介してＧＣＡ１５２を制御する時定数よりも短く設定することが望ましい。
【００４９】
これにより、アナログ部のＧＣＡ１５２は分解能の低い回路構成にすることが可能となり、Ｄ／Ａ変換器１８６の低分解能化と併せて回路規模削減と低消費電力化が可能となる。また、Ａ／Ｄ変換器１８０に入力される信号振幅をアナログ領域である程度規格化することが可能となるため、Ａ／Ｄ変換器１８０の分解能を下げても、抽出されるウォブル信号の品質を確保することが可能となる。
【００５０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５１】
【図１】本発明の一実施形態に係る光ディスク記録再生装置の構成を示す模式図である。
【図２】光ディスクのトラックとレーザスポット、及びレーザスポットの反射光を検出するピックアップのディテクタを示す模式図である。
【図３】ＲＦ信号（Ａ＋Ｄ）、ＲＦ信号（Ｂ＋Ｃ）、プッシュプル信号（Ａ+Ｄ）−（Ｂ＋Ｃ）の各信号波形を示す特性図である。
【図４】第１の実施形態に係るアドレス復号回路の回路構成を示す模式図である。
【図５】第２の実施形態に係るアドレス復号回路の回路構成を示す模式図である。
【図６】第３の実施形態に係るアドレス復号回路の回路構成を示す模式図である。
【図７】第４の実施形態に係るアドレス復号回路の回路構成を示す模式図である。
【符号の説明】
【００５２】
１００    記録再生装置
１０４ａ    ディテクタ
１５４    差動演算回路
１５２，１５６，１７０，１７２，１８８    ＧＣＡ
１８０    Ａ／Ｄ変換器
１８４    制御器
１８６    Ｄ／Ａ変換器
２００    光ディスク
２０２    トラック
【図１】
2009187628.tif 000003
【図２】
2009187628.tif 000004
【図３】
2009187628.tif 000005
【図４】
2009187628.tif 000006
【図５】
2009187628.tif 000007
【図６】
2009187628.tif 000008
【図７】
2009187628.tif 000009